(57)【特許請求の範囲】
【請求項１】
圃場に置かれた状態でトラクタの後端と連結され、前記トラクタの前進により、前記トラクタの横幅方向の両端の土を、前記トラクタの横幅方向の中心を通り前記トラクタの進行方向に延びる仮想中心線側に土寄せして畝を成形する畝立て器であって、
前記仮想中心線を中心に対称に配置された一対の第１のフレームを有し、前記一対の第１のフレーム各々が、互いに対向する面が鉛直方向に沿っている側板を有し、前記側板が前記仮想中心線に向かって土寄せするために前記トラクタに向かって前記横幅方向の両側に広がる第１の部分と、前記第１の部分で土寄せされた土を用いて前記畝の側面を成形するために前記進行方向に延びる第２の部分と、を有し、前記一対の第１のフレーム各々が前記第２の部分の上端部から、前記仮想中心線の方向に張り出し下面が水平な天板を有する枠体と、
前記畝が形成される部分では耕耘を行わないように間隔を空けてそれぞれ配置され、前記トラクタの駆動により、前記トラクタの後端の前記横幅方向の両端の土を掘って前記第１の部分同士の間に送る一対の土寄せ手段と、
を備え、
前記枠体は、
前記横幅方向に延びて前記一対の第１のフレーム同士を連結する第２のフレームと、
前記進行方向に沿って前記第２のフレームよりも後ろ側に配置されて前記横幅方向に延びて前記一対の第１のフレーム同士を連結する第３のフレームと、
を備え、
前記第２のフレームには、畝の上に少なくとも１条の溝を成形する凸部が成形されており、
前記第３のフレームの下面は、前記第２のフレームの下面よりも低くなっており、前記天板の下面の高さと同じであり、
前記第２のフレームと前記第３のフレームの間に、前記溝に種を落とす種播器が設けられており、
前記進行方向に沿って前記第３のフレームよりも後ろ側に、除草剤散布器が設けられている、
畝立て器。
【請求項２】
前記第１の部分同士の間に送られた土の向きを変え、前記第２の部分の前記仮想中心線に対向する面に向かって案内するとともに、前記畝の上面を水平に成形する案内部材を備える、
請求項１に記載の畝立て器。
【請求項３】
前記土寄せ手段は、前記トラクタに対する高さを調節可能である、
請求項１又は２に記載の畝立て器。
【請求項４】
前記第３のフレームにおける前記第２のフレーム側の面は、前記仮想中心線から離れるにつれて、前記第２のフレームから遠くなっている、
請求項１から３のいずれか一項に記載の畝立て器。
【請求項５】
前記第２のフレームと前記第３のフレームとの間に土に接するように配置され、前記トラクタの進行に応じて回転する回転体を備え、
前記種播器は、前記回転体が所定角度回転する度に、種を落とし、前記除草剤散布器は、前記回転体が所定角度回転する度に、除草剤を散布する、
請求項１から４のいずれか一項に記載の畝立て器。
【請求項６】
前記トラクタと前記枠体とを連結する連結部を備え、
前記連結部は、前記トラクタに対する前記枠体の高さを調節可能である、
請求項１から５のいずれか一項に記載の畝立て器。
【発明の詳細な説明】
【技術分野】
【０００１】
本発明は、畝立て器に関する。
【背景技術】
【０００２】
水田を活用して大豆等の畑作物を栽培する二毛作が行われている。この場合、畑作物は、平畝のままで栽培されるのが一般的である。しかしながら、平畝のままで畑作物を栽培すると、地中の水分量が多く成りすぎて、作物の根が酸欠状態となって根腐れを生じやすくなる。そこで、種播前に高畝を立てるようにすれば、畝が空気に接する面積が広くなって地中の酸欠状態が解消されるとともに、根が良く伸張するようになる。
【０００３】
一方で、収穫機械では、収穫の際にクローラが畝の上を通ることになる。したがって、畑作物の根元を確実にカットするためには、収穫機械の姿勢を水平に保つ必要があり、そのため畝の上の部分が水平になっている。例えば、特許文献１には、断面が台形の畝を成形する畝成形装置が開示されている。
【先行技術文献】
【特許文献】
【０００４】
【特許文献１】特開２０１９−１０６９０１号公報
【発明の概要】
【発明が解決しようとする課題】
【０００５】
畝の高さは、高ければ高いほど、畑作物の発育にとって良い環境となる。しかしながら、畝の高さを高くしようとすればするほど、成形される畝の断面が台形であると、上の平らな面が細くなって、収穫機械のクローラを水平に保てない状態が発生する可能性が高くなる。
【０００６】
本発明は、上記実情の下になされたものであり、上の平らな部分が広い高畝を成形することができる畝立て器を提供することを目的とする。
【課題を解決するための手段】
【０００７】
上記目的を達成するために、本発明に係る畝立て器は、
圃場に置かれた状態でトラクタの後端と連結され、前記トラクタの前進により、前記トラクタの横幅方向の両端の土を、前記トラクタの横幅方向の中心を通り前記トラクタの進行方向に延びる仮想中心線側に土寄せして畝を成形する畝立て器であって、
前記仮想中心線を中心に対称に配置された一対の第１のフレームを有し、前記一対の第１のフレーム各々が、互いに対向する面が鉛直方向に沿っている側板を有し、前記側板が前記仮想中心線に向かって土寄せするために前記トラクタに向かって前記横幅方向の両側に広がる第１の部分と、前記第１の部分で土寄せされた土を用いて前記畝の側面を成形するために前記進行方向に延びる第２の部分と、を有し、前記一対の第１のフレーム各々が前記第２の部分の上端部から、前記仮想中心線の方向に張り出し下面が水平な天板を有する枠体と、
前記畝が形成される部分では耕耘を行わないように間隔を空けてそれぞれ配置され、前記トラクタの駆動により、前記トラクタの後端の前記横幅方向の両端の土を掘って前記第１の部分同士の間に送る一対の土寄せ手段と、
を備え、
前記枠体は、
前記横幅方向に延びて前記一対の第１のフレーム同士を連結する第２のフレームと、
前記進行方向に沿って前記第２のフレームよりも後ろ側に配置されて前記横幅方向に延びて前記一対の第１のフレーム同士を連結する第３のフレームと、
を備え、
前記第２のフレームには、畝の上に少なくとも１条の溝を成形する凸部が成形されており、
前記第３のフレームの下面は、前記第２のフレームの下面よりも低くなっており、前記天板の下面の高さと同じであり、
前記第２のフレームと前記第３のフレームの間に、前記溝に種を落とす種播器が設けられており、
前記進行方向に沿って前記第３のフレームよりも後ろ側に、除草剤散布器が設けられている。
【０００８】
この場合、前記第１の部分同士の間に送られた土の向きを変え、前記第２の部分の前記仮想中心線に対向する面に向かって案内するとともに、前記畝の上面を水平に成形する案内部材を備える、
こととしてもよい。
【００１０】
また、前記土寄せ手段は、前記トラクタに対する高さを調節可能である、
こととしてもよい。
【００１３】
前記第３のフレームにおける前記第２のフレーム側の面は、前記仮想中心線から離れるにつれて、前記第２のフレームから遠くなっている、
こととしてもよい。
【００１５】
前記第２のフレームと前記第３のフレームとの間に土に接するように配置され、前記トラクタの進行に応じて回転する回転体を備え、
前記種播器は、前記回転体が所定角度回転する度に、種を落とし、前記除草剤散布器は、前記回転体が所定角度回転する度に、除草剤を散布する、
こととしてもよい。
【００１８】
前記トラクタと前記枠体とを連結する連結部を備え、
前記連結部は、前記トラクタに対する前記枠体の高さを調節可能である、
こととしてもよい。
【発明の効果】
【００１９】
本発明によれば、トラクタを前進させることにより、一対の第１のフレーム各々の側板と天板とで、断面が矩形である畝を成形することができる。このため、上の平らな部分が広い高畝を成形することができる。
【図面の簡単な説明】
【００２０】
【図１】（Ａ）は、トラクタに取り付けられた本発明の実施の形態１に係る畝立て器の上面図である。（Ｂ）は、（Ａ）の畝立て器によって形成された畝の断面図である。
【図２】（Ａ）は、図１（Ａ）の畝立て器（枠体）の上面図である。（Ｂ）は、図１の畝立て器をトラクタ側から見た図である。（Ｃ）は、図１（Ａ）の畝立て器を、トラクタの反対側から見た図である。
【図３】（Ａ）は、案内部材の上面図である。（Ｂ）は、案内部材の下面図である。
【図４】（Ａ）及び（Ｂ）は、凸部により溝が成形される様子を示す図である。
【図５】連結部を示す上面図である。
【図６】（Ａ）は、図１の畝立て器の側面図である。（Ｂ）は連結部の斜視図である。
【図７】（Ａ）は、種が播かれる様子を示す図である。（Ｂ）は、除草剤散布器の斜視図である。
【図８】（Ａ）及び（Ｂ）は、第２のフレームを示す図である。
【図９】（Ａ）及び（Ｂ）は、図１の畝立て器の動作を示す模式図である。
【図１０】本発明の実施の形態２に係る畝立て器（枠体）の上面図である。
【図１１】（Ａ）は、トラクタの後ろに取り付けられた土寄せ手段に対応する部分の一例を示す図である。（Ｂ）は、収穫機械より上面の幅が狭いため崩れてしまった台形状の畝を示す図である。
【図１２】（Ａ）及び（Ｂ）は、平畝で大豆を栽培した圃場を示す図である。（Ｃ）は、高畝で大豆を栽培した圃場を示す図である。
【発明を実施するための形態】
【００２１】
以下、本発明の実施の形態について図面を参照して詳細に説明する。全図において、同一又は相当する構成要素には、同一の符号が付されている。
【００２２】
実施の形態１
まず、本発明の実施の形態１について説明する。図１（Ａ）に示すように、本実施の形態に係る畝立て器１は、圃場２に置かれた状態でトラクタ３の後端に連結されている。図１（Ａ）には、トラクタ３の進行方向と、トラクタ３の横幅方向とが示されている。トラクタ３の横幅方向の中心を通り、トラクタ３の進行方向に延びる線を仮想中心線ＣＬとする。
【００２３】
畝立て器１は、トラクタ３の前進に伴って進行方向に前進する。畝立て器１は、この前進により、畝４を成形する。この際、畝立て器１は、トラクタ３の横幅方向の両端の土を、仮想中心線ＣＬ側に土寄せする。この土寄せされた土により、畝４が成形される。図１（Ｂ）に示すように、畝４の高さＨは、例えば、１５ｃｍ以上２０ｃｍ以下であるが、これに限定されない。
【００２４】
図２（Ａ）、図２（Ｂ）及び図２（Ｃ）に示すように、畝立て器１は、枠体１０を備える。枠体１０は、一対の第１のフレーム１１と、第２のフレーム１２と、第３のフレーム１３と、第４のフレーム１４と、を備える。これらのフレームは、土寄せが可能な素材、例えば金属、より具体的には鉄で構成されている。
【００２５】
図２（Ａ）に示すように、一対の第１のフレーム１１は、仮想中心線ＣＬを中心に対称に配置されている。第１のフレーム１１同士の間隔Ｗは例えば９０ｃｍである。また、第１のフレーム１１の進行方向の長さＬは、例えば１２０ｃｍである。第２のフレーム１２、第３のフレーム１３及び第４のフレーム１４は、トラクタ３の横幅方向を長手方向とするフレームである。第２のフレーム１２、第３のフレーム１３及び第４のフレーム１４は、トラクタ３から見て、間隔を空けて、この順に配置されている。
【００２６】
一方の第１のフレーム１１は、第２のフレーム１２、第３のフレーム１３及び第４のフレーム１４の一端に固定され、他方の第１のフレーム１１は、第２のフレーム１２、第３のフレーム１３及び第４のフレーム１４の他端に固定されている。このような構成により、一対の第１のフレーム１１が、土寄せされた土により畝４を成形することが可能となる。また、第２のフレーム１２には、トラクタ３側に突出する三角形状の突き出し部１２ａが設けられている。
【００２７】
一対の第１のフレーム１１は、それぞれ側板１１ａを有している。図２（Ｂ）及び図２（Ｃ）に示すように、側板１１ａは、仮想中心線ＣＬに対向する面が鉛直方向に沿っている。
【００２８】
側板１１ａは、第１の部分１１ａａと、第２の部分１１ａｂとを有している。第１の部分１１ａａは、仮想中心線ＣＬに向かって土寄せするためにトラクタ３に向かって横幅方向の両側に広がっている。これにより、トラクタ３の前進で、横幅方向の両側の土を、仮想中心線ＣＬに向けて土寄せすることが可能となる。第２の部分１１ａｂは、第１の部分１１ａａで土寄せされた土を用いて畝４の側面を成形するためにトラクタ３の進行方向に延びている。
【００２９】
一対の第１のフレーム１１各々は、天板１１ｂを有している。天板１１ｂは、第２の部分１１ａｂの上端部から、仮想中心線ＣＬの方向に張り出しており、図２（Ｃ）に示すように、その下面は水平となっている。なお、図２（Ｃ）に示すように、側板１１ａの第２の部分１１ａｂと、天板１１ｂとの連結部分には、畝４の角部を面取りするための丸みが成形されている。これにより、図１（Ｂ）に示すように、畝４の角部には丸みが形成される。
【００３０】
さらに、畝立て器１は、案内部材２０を備えている。案内部材２０は、突き出し部１２ａの下面に取り付けられている。図３（Ａ）及び図３（Ｂ）の矢印に示すように、案内部材２０は、第１の部分１１ａａ同士の間に送られた土を、第２の部分１１ａｂにおける仮想中心線ＣＬに対向する面に向かって案内する。これとともに、図３（Ｂ）に示すように、案内部材２０は、その下面で、畝４の上面を水平に成形する。案内部材２０の下面の高さは、後述する天板１１ｂの下面の高さに合わせてある。案内部材２０の下面の高さは、第２のフレーム１２の下面の高さと同じである。
【００３１】
図１に戻り、畝立て器１は、土寄せ手段２１を備えている。土寄せ手段２１は、トラクタ３の駆動により、回転する回転羽根である。土寄せ手段２１は、トラクタ３の後端の横幅方向の両端の土を掘って一対の第１のフレーム１１の間に送る。なお、土寄せ手段２１は、例えば、第１のフレーム１１の側板１１ａの第１の部分１１ａａの前端から、１５ｃｍ以上前方に配置されている。土寄せ手段２１の駆動力は、伝達手段２４を介してトラクタ３のパワーテイクオフ（ＰＴＯ；Power Take-Off）軸２３から伝達される。
【００３２】
土寄せ手段２１は、トラクタ３、すなわち圃場２に対する高さを調節可能である。図６（Ａ）に示すように、土寄せ手段２１の手前には、調節ローラ２５が設けられている。調節ローラ２５の高さを調整することにより、土寄せ手段２１が、土を掘り下げる深さを変更することができる。この結果、成形される畝４の高さＨ（図１（Ｂ）参照）を調整することができる。
【００３３】
図５に示すように、トラクタ３の後端には、取付フレーム２６が取り付けられている。取付フレーム２６は、図１のＰＴＯ軸２３、伝達手段２４および土寄せ手段２５のカバーを兼ねている。図６（Ａ）及び図６（Ｂ）に示すように、取付フレーム２６には、トラクタ側フレーム２７が固定されている。トラクタ側フレーム２７は、その上端に調整部材２８が固定されている。調整部材２８のトラクタ側フレーム２７の反対側には、枠体側フレーム２９が取り付けられている。調整部材２８は、トラクタ側フレーム２７に対する枠体側フレーム２９の高さを調整可能である。このトラクタ側フレーム２７と、調整部材２８と、枠体側フレーム２９と、で連結部４０が構成される。
【００３４】
第２のフレーム１２は、前述のように、横幅方向に延びて一対の第１のフレーム１１同士を連結する。第２のフレーム１２は、図４（Ａ）及び図４（Ｂ）に示すように、一対の第１のフレーム１１の中に入ってきた土を、その上面が水平となるように成形する。第２のフレーム１２の高さは、第１のフレーム１１の天板１１ｂの下面の高さより例えば３ｍｍ高くなっている。また、第２のフレーム１２には、畝の上に５条の溝６を成形する凸部３０が成形されている。
【００３５】
第３のフレーム１３は、前述のように、トラクタ３の進行方向に沿って第２のフレーム１２よりも後ろ側に配置されており、トラクタ３の横幅方向に延びて一対の第１のフレーム１１同士を連結する。第３のフレーム１３の下面の高さは、第２のフレーム１２の下面の高さより３ｍｍ低くなっており、天板１１ｂの下面の高さと同じとなっている。
【００３６】
第４のフレーム１４は、前述のように、トラクタ３の横幅方向に延びて一対の第１のフレーム１１の後端同士を連結する。
【００３７】
図５に示すように、畝立て器１には、枠体１０とトラクタ３と連結する連結部４０（トラクタ側フレーム２７、調整部材２８および枠体側フレーム２９）が設けられている。連結部４０は、第２のフレーム１２、第３のフレーム１３及び第４のフレーム１４の両端に取り付けられている。図６（Ａ）及び図６（Ｂ）に示すように、連結部４０は、枠体１０のトラクタ３に対する高さを調節可能である。
【００３８】
図５に戻り、第２のフレーム１２と第３のフレーム１３の間には、各溝６に種を落とす種播器４１が配置されている。種播器４１は、第２のフレーム１２に取り付けられた凸部３０の真後ろに配置されている。連結部４０の枠体側フレーム２９には横幅方向に延びる第５のフレーム１５が取り付けられており、第５のフレーム１５に種播器４１が取り付けられている。
【００３９】
さらに、畝立て器１は、２つの回転体４２と、駆動部４３と、を備えている。２つの回転体４２は、第２のフレーム１２と第３のフレーム１３との間に、畝４の上面に接するように配置されている。回転体４２は、畝４の上面に引っかかる突起を円周上に有しているため、トラクタ３による枠体１０の進行に応じて回転する。駆動部４３は、回転体４２の回転に伴って回転する。
【００４０】
図７（Ａ）に示すように、種播器４１の開口は、下側を向いており、その下側には、回転口４４が設けられている。回転口４４は、駆動部４３に接続されており、駆動部４３の回転により回転する。回転口４４には、凹部４５が形成されている。回転口４４が回転し、凹部４５が上向きになると、凹部４５に種子５０が入り込む。さらに、回転口４４が回転し、凹部４５が下側を向くと、種子５０が溝６内に落ちる仕組みとなっている。
【００４１】
このようにして、畝立て器１では、回転体４２が所定角度回転する度に、種子５０が溝６に落ちる。これにより、種子５０が播かれる間隔はＳで一定となる。
【００４２】
図８（Ａ）に示すように、第３のフレーム１３の下面は、第２のフレーム１２の下面よりも３ｍｍ低くなっている。これにより、図８（Ｂ）に示すように、第３のフレーム１３により、種子５０が落ちた溝６に土を被せて、溝６を埋めることができる。なお、第３のフレーム１３の下面の高さは、天板１１ｂの下面の高さと同じである。
【００４３】
図５に示すように、さらに、畝立て器１では、トラクタ３の進行方向に沿って第３のフレーム１３よりも後ろ、例えば第４のフレーム１４に除草剤散布器４６が取り付けられている。図７（Ｂ）に示すように、除草剤散布器４６には、開口４８が設けられている。開口４８は、スリットが設けられた回転部４９によって塞がれている。
【００４４】
さらに、図５に示すように、畝立て器１は、回転体４２によって駆動される駆動部４７を備えている。駆動部４７は、回転部４９に接続されている。回転体４２が回転すると、駆動部４７が駆動され、回転部４９が回転する。この回転で、スリットが開口４８と重なると、除草剤が開口４８より落下して、畝４上に散布される。
【００４５】
次に、畝立て器１による畝立て、種播き及び除草剤散布の動作の流れについて説明する。
【００４６】
まず、準備を行う。具体的には、トラクタ３に土寄せ手段２１と、連結部４０と、を取り付け、連結部４０に枠体１０を取り付ける。さらに、種播器４１及び除草剤散布器４６等を、連結部４０に取り付ける。
【００４７】
図９（Ａ）に示すように、続いて、圃場２内でトラクタ３を１列ずつずらしながら往復させて、畝４を作成する。この場合、往路で左の土寄せ手段２１があった位置に、復路の右の土寄せ手段２１の位置を合わせる。土寄せ手段２１の高さは調節ローラ２５で調節される。この場合、掘る深さを５ｃｍに合わせると、全体の掘る深さは、往路で５ｃｍ、復路で５ｃｍ、計１０ｃｍの深さとなる。
【００４８】
畝４が成形されるにあたり、図４（Ａ）に示すように、５条の溝６が成形され、その溝６に一定の間隔で種播きが行われ、溝６が埋められた後、除草剤が散布される。このようにして、図９（Ｂ）に示すように、圃場２に断面が矩形の畝４が成形される。畝４の上面の幅は広くなっており、収穫機械についているクローラが十分通る幅（両方のクローラが半分以上乗る幅）となっている。このようにすれば、収穫機械の姿勢を水平に保つことができる。
【００４９】
実施の形態２
次に、本発明の実施の形態２について説明する。図１０に示すように、本実施の形態に係る畝立て器１は、第３のフレーム１３の形状が、上記実施の形態１に係る畝立て器１と異なっている。本実施の形態では、第３のフレーム１３は、仮想中心線ＣＬに対して対称となっており、仮想中心線ＣＬ上の点を頂点として、「へ」の字の形となっている。言い換えれば、第３のフレーム１３における第２のフレーム１２側の面は、仮想中心線ＣＬから離れるにつれて、第２のフレーム１２から遠くなっている、このようにすれば、畝４の上面に成形された溝６を塞ぐとともに、土をできるだけトラクタ３の横幅方向の外側に送って、畝４の上面をより水平に保つことができる。
【００５０】
なお、図１１（Ａ）には、トラクタ３の後方に取り付けられた土寄せ手段２１の一例が示されている。図１１（Ａ）に示すように、両矢印で表される範囲の羽根が、本実施の形態に係る土寄せ手段２１に対応する。
【００５１】
以上詳細に説明したように、上記実施の形態に係る畝立て器１によれば、トラクタ３を前進させることにより、一対の第１のフレーム１１各々の側板１１ａと天板１１ｂとで、断面が矩形である畝４を成形することができる。このため、上の平らな部分が広い高畝を成形することができる。
【００５２】
また、本実施の形態に係る畝立て器１では、断面形状が矩形の畝４を形成することができるので、図１１（Ｂ）に示す断面形状が台形の畝に比べ、収穫率を向上することができる。
【００５３】
図１２（Ａ）に示すように、畑作物を平畝で栽培すると、図１２（Ｂ）に示すように、水分が多いすぎるところが出来てしまい、この部分では作物の生育状態が悪化して、収穫が困難になる。本実施の形態に係る畝立て器１を用いて高畝を成形すれば、このような事態となるのを防ぐことができる。また、本実施の形態に係る畝立て器１によれば、種播だけでなく、除草剤も散布することができるので、図１２（Ｃ）に示すように雑草が生えてしまうのを防ぐことができる。
【００５４】
また、上記実施の形態によれば、一対の第１のフレーム１１の間に送られた土を、トラクタ３の横幅方向の両側に案内する案内部材２０を備えている。このようにすれば、畝４の上面と側面とをつなぐ角部となる部分に土を集めてその部分を固く成形することができるので、形が崩れにくい畝４を成形することができる。
【００５５】
また、上記実施の形態では、土寄せ手段２１は、トラクタ３に対する枠体１０の高さを調節可能である。このようにすれば、畝４の高さＨを調整することができる。
【００５６】
また、上記実施の形態では、横幅方向に延びて一対の第１のフレーム１１同士を連結する第２のフレーム１２を備え、第２のフレーム１２には、畝４の上に５条の溝６を成形する凸部３０が成形されている。このようにすれば、畝４を成形すると同時に、種子５０を播く溝６を成形することができる。なお、上記実施の形態では、成形される溝６の数は５条であったが、本発明はこれには限られない。少なくとも１条の溝６が成形されるようにすればよい。
【００５７】
また、上記実施の形態によれば、トラクタ３の進行方向に沿って第２のフレーム１２よりも後ろ側に配置されてトラクタ３の横幅方向に延びて一対の第１のフレーム１１同士を連結する第３のフレーム１３を備え、第３のフレーム１３の下面は、第２のフレーム１２の下面よりも低くなっている。第２のフレーム１２の凸部３０によって成形された溝６を、第３のフレーム１３の下面で、塞ぐことができる。
【００５８】
また、上記実施の形態によれば、第２のフレーム１２と第３のフレーム１３の間に、溝６に種子５０を落とす種播器４１が設けられている。このようにすれば、成形された溝に種を播いてから、第３のフレーム１３で溝を塞いて、種播を完了することができる。
【００５９】
また、上記実施の形態によれば、第２のフレーム１２と第３のフレーム１３との間に土に接するように配置され、トラクタ３による枠体１０の進行に応じて回転する回転体４２を備え、種播器４１は、回転体４２が所定角度回転する度に、種子５０を落とす。このようにすれば、一定の間隔で、種子５０を播くことができる。
【００６０】
また、上記実施の形態によれば、トラクタ３の進行方向に沿って第３のフレーム１３よりも後ろ側に、除草剤散布器４６が設けられている。このようにすれば、種播後に、除草剤散布も一連の作業で行うことができる。
【００６１】
また、上記実施の形態によれば、第２のフレーム１２と第３のフレーム１３との間に土に接するように配置され、トラクタ３による枠体１０の進行に応じて回転する回転体４２を備えている。除草剤散布器４６は、回転体４２が所定角度回転する度に、除草剤を自動的に散布することができる。
【００６２】
また、上記実施の形態によれば、トラクタ３と枠体１０とを連結する連結部４０を備え、連結部４０は、トラクタ３に対する枠体１０の高さを調節可能である。このようにすれば、畝４の高さＨを自由に調節することが可能となる。
【００６３】
なお、この畝立て器１は、大豆、麦等の畑作物の他、稲の種子５０をまくのにも利用することが可能である。稲の種子５０をまいて栽培する方法を、稲の直播き栽培法という。
【００６４】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００６５】
本発明によれば、圃場における自動的な畝立て、種播、除草剤散布を実現することができる。
【符号の説明】
【００６６】
１  畝立て器、２  圃場、３  トラクタ、４  畝、６  溝、７  溝、１０  枠体、１１  第１のフレーム、１１ａ  側板、１１ａａ  第１の部分、１１ａｂ  第２の部分、１１ｂ  天板、１２  第２のフレーム、１２ａ  突き出し部、１３  第３のフレーム、１４  第４のフレーム、１５  第５のフレーム、２０  案内部材、２１  土寄せ手段、２３  パワーテイクオフ（ＰＴＯ）軸、２４  伝達手段、２５  調節ローラ、２６  取付フレーム、２７  トラクタ側フレーム、２８  調整部材、２９  枠体側フレーム、３０  凸部、４０  連結部、４１  種播器、４２  回転体、４３  駆動部、４４  回転口、４５  凹部、４６  除草剤散布器、４７  駆動部、４８  開口、４９  回転部、５０  種子、ＣＬ  仮想中心線
【要約】
【課題】上の平らな部分が広い高畝を成形する。
【解決手段】畝立て器１は、圃場２に置かれた状態でトラクタ３の後端と連結され、トラクタ３の前進により、トラクタ３の横幅方向の両端の土を、横幅方向の中心を通りトラクタ３の進行方向に延びる仮想中心線ＣＬ側に土寄せして畝を成形する。畝立て器１は、それぞれが仮想中心線ＣＬに対して所定の間隔をおいて対称に配置された一対の第１のフレーム１１を備える。一対の第１のフレーム１１各々は、仮想中心線ＣＬに対向する面が鉛直方向に沿っている側板１１ａを有する。側板１１ａは、仮想中心線ＣＬに向かって土寄せするためにトラクタ３に向かって横幅方向の両側に広がる第１の部分１１ａａと、第１の部分１１ａａで土寄せされた土を用いて畝４の側面を成形するために進行方向に延びる第２の部分１１ａｂと、を有する。第２の部分１１ａｂの上端部から、仮想中心線ＣＬの方向に張り出す天板１１ｂを有する。
【選択図】図１【図１】
0006832028.tif 000002
【図２】
0006832028.tif 000003
【図３】
0006832028.tif 000004
【図４】
0006832028.tif 000005
【図５】
0006832028.tif 000006
【図６】
0006832028.tif 000007
【図７】
0006832028.tif 000008
【図８】
0006832028.tif 000009
【図９】
0006832028.tif 000010
【図１０】
0006832028.tif 000011
【図１１】
0006832028.tif 000012
【図１２】
0006832028.tif 000013